【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
ダイオードを直列接続した第１の回路、ダイオードを直列接続した第２の回路及びコンデンサを直列接続した第３の回路を並列接続し、前記第１の回路のダイオードの相互接続点に前記第２の回路のダイオードの相互接続点を接続すると共に交流電源の一端に接続し、前記第３の回路のコンデンサの相互接続点を前記交流電源の他端に接続し、前記第１、第２及び第３の回路を並列接続した両端を直流電圧出力端とする倍電圧整流回路と、
前記交流電源と前記倍電圧整流回路の接続経路の少なくとも一方に接続したリアクトルと、
前記交流電源の瞬時電圧の絶対値が増大する初期に前記リアクトルを介して交流電源を強制的に短絡させる強制通電回路と、
を備え、前記第３の回路のコンデンサとして直流出力電圧のリップル含有率を所望の値に抑制する程度の容量を有するものを用い、前記強制通電回路は所望の力率を保持する時間だけ前記リアクトルを強制通電させる直流電源装置。
【請求項２】
請求項１に記載の直流電源装置を構成する前記倍電圧整流回路の出力端に電動機を回転駆動させるインバータ装置を接続してなる電動機用駆動装置。
【請求項３】
ダイオード直列接続回路とコンデンサ直列接続回路を並列接続し、交流電源からの交流電圧を倍電圧整流して直流電圧に変換する倍電圧整流回路と、
前記交流電源と前記倍電圧整流回路の接続経路の少なくとも一方に接続されるリアクトルと、
前記交流電源の瞬時電圧の絶対値が増大する初期に前記リアクトルを介して前記交流電源を強制的に短絡させる強制通電回路と、
を備え、前記コンデンサ直列接続回路に平滑コンデンサを介することなくインバータ装置を接続し、前記強制通電回路は所望の力率を保持する時間だけ前記リアクトルを強制通電させ、
前記リアクトルのインダクタンス値と前記コンデンサ直列接続回路の各コンデンサの容量を、共振周波数が電源周波数の略１．５倍以下となるようにしてなる電動機用駆動装置。
【請求項４】
ダイオード直列接続回路とコンデンサ直列接続回路を並列接続し、交流電源からの交流電圧を倍電圧整流して直流電圧に変換する倍電圧整流回路と、
前記交流電源と前記倍電圧整流回路の接続経路の少なくとも一方に接続されるリアクトルと、
前記交流電源の瞬時電圧の絶対値が増大する初期に前記リアクトルを介して前記交流電源を強制的に短絡させる強制通電回路と、
を備え、前記コンデンサ直列接続回路に平滑コンデンサを介することなくインバータ装置を接続し、前記強制通電回路は所望の力率を保持する時間だけ前記リアクトルを強制通電させ、
前記交流電源が１００Ｖ系電源で、入力電力が２０００Ｗ以下であり、前記コンデンサ直列接続回路の正電圧側及び負電圧側のコンデンサの容量を１０００μＦ〜３０００μＦとする電動機用駆動装置。
【請求項５】
前記リアクトルのインダクタンスを４〜８ｍＨとする請求項３又は４に記載の電動機用駆動装置。
【請求項６】
請求項２乃至５のいずれかに記載の電動機用駆動装置を構成する前記インバータ装置の出力端に圧縮機用電動機を接続してなる空気調和機。
【請求項７】
請求項２乃至５のいずれかに記載の電動機用駆動装置を構成する前記インバータ装置の出力端に圧縮機駆動電動機を接続してなる冷凍サイクル装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
【課題を解決するための手段】
請求項１に係る発明は、
ダイオードを直列接続した第１の回路、ダイオードを直列接続した第２の回路及びコンデンサを直列接続した第３の回路を並列接続し、前記第１の回路のダイオードの相互接続点に前記第２の回路のダイオードの相互接続点を接続すると共に交流電源の一端に接続し、前記第３の回路のコンデンサの相互接続点を前記交流電源の他端に接続し、前記第１、第２及び第３の回路を並列接続した両端を直流電圧出力端とする倍電圧整流回路と、前記交流電源と前記倍電圧整流回路の接続経路の少なくとも一方に接続したリアクトルと、前記交流電源の瞬時電圧の絶対値が増大する初期に前記リアクトル介して交流電源を強制的に短絡させる強制通電回路と、を備え、前記第３の回路のコンデンサとして直流出力電圧のリップル含有率を所望の値に抑制する程度の容量を有するものを用い、前記強制通電回路は所望の力率を保持する時間だけ前記リアクトルを強制通電させる直流電源装置である。
【手続補正６】
【補正対象書類名】明細書
【補正対象項目名】００１６
【補正方法】変更
【補正の内容】
【００１６】
このように請求項１に係る発明では、通常は直並列に接続される複数のダイオードを並直列に接続し、これに並列接続されるコンデンサ直列接続回路のコンデンサとして、直流出力電圧のリップル含有率を所望の値に抑制する程度の容量を有するものを用いると共に、交流電源の接続経路に接続されるリアクトルを強制通電させる強制通電回路が所望の力率を保持する時間だけ強制通電させるようにしたので、リアクトルによる力率改善の効果を損なうことなく、平滑用コンデンサを不要化し得、さらに、逆充電防止用ダイオードを不要化するとともに、ダイオードの電流容量を半分程度に下げることができる。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項２に係る発明は、請求項１に記載の直流電源装置を構成する倍電圧整流回路の出力端に電動機を回転駆動させるインバータ装置を接続してなる電動機用駆動装置である。請求項２に係る発明によれば平滑コンデンサが不要なので、制御装置の小型化が可能である。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
請求項３に係る発明は、ダイオード直列接続回路とコンデンサ直列接続回路を並列接続し、交流電源からの交流電圧を倍電圧整流して直流電圧に変換する倍電圧整流回路と、
交流電源と倍電圧整流回路の接続経路の少なくとも一方に接続されるリアクトルと、
交流電源の瞬時電圧の絶対値が増大する初期にリアクトルを介して交流電源を強制的に短絡させる強制通電回路と、
を備え、コンデンサ直列接続回路に平滑コンデンサを介することなくインバータ装置を接続し、強制通電回路は所望の力率を保持する時間だけリアクトルを強制通電させ、リアクトルのインダクタンス値とコンデンサ直列接続回路の各コンデンサの容量を、共振周波数が電源周波数の略１．５倍以下となるようにしたものである。
【手続補正１３】
【補正対象書類名】明細書
【補正対象項目名】００２３
【補正方法】変更
【補正の内容】
【００２３】
請求項４に係る発明は、ダイオード直列接続回路とコンデンサ直列接続回路を並列接続し、交流電源からの交流電圧を倍電圧整流して直流電圧に変換する倍電圧整流回路と、
交流電源と倍電圧整流回路の接続経路の少なくとも一方に接続されるリアクトルと、
交流電源の瞬時電圧の絶対値が増大する初期にリアクトルを介して交流電源を強制的に短絡させる強制通電回路と、
を備え、コンデンサ直列接続回路に平滑コンデンサを介することなくインバータ装置を接続し、強制通電回路は所望の力率を保持する時間だけリアクトルを強制通電させ交流電源が１００Ｖ系電源で、入力電力が２０００Ｗ以下であり、コンデンサ直列接続回路の正電圧側及び負電圧側のコンデンサの容量を１０００μＦ〜３０００μＦとするものである。
【手続補正１４】
【補正対象書類名】明細書
【補正対象項目名】００２４
【補正方法】変更
【補正の内容】
【００２４】
請求項５に係る発明は、請求項３又は４に記載の電動機用駆動装置において、リアクトルのインダクタンスを４〜８ｍＨとするものである。
【手続補正１５】
【補正対象書類名】明細書
【補正対象項目名】００２５
【補正方法】変更
【補正の内容】
【００２５】
請求項３乃至５に係る発明によれば、汎用の空気調和機で一応満足し得る力率が得られ、かつ、実用性の高い電動機用駆動装置を提供することができる。
【手続補正１６】
【補正対象書類名】明細書
【補正対象項目名】００２６
【補正方法】変更
【補正の内容】
【００２６】
請求項６に係る発明は、請求項２乃至５に記載の電動機用駆動装置を構成する前記インバータ装置の出力端に圧縮機用電動機を接続してなる空気調和機である。請求項６に係る発明では、平滑コンデンサが不要なので、圧縮機駆動回路の小型化が可能である。
請求項７に係る発明は、請求項３乃至５のいずれかに記載の電動機用駆動装置を構成するインバータ装置の出力端に圧縮機駆動電動機を接続してなる冷凍サイクル装置である。請求項７に係る発明によれば、空気調和機、冷蔵庫及びショケース等で一応満足し得る力率が得られ、かつ、実用性の高い冷凍サイクル装置が得られる。